(57)【要約】【課題】鍋と鍋を開閉自在に覆う蓋などを誘導加熱する２つ以上の加熱コイルを有する誘導加熱式炊飯器において、炊飯器本体の外形を大きくすることなく、また、蓋と鍋側面の加熱効率を下げずに、安価で効果的に蓋加熱コイルと側面加熱コイルから発生する低周波領域の漏洩磁界を低減できる誘導加熱式炊飯器を提供する。【解決手段】炊飯器本体１の内部に米と水を入れる鍋２を収納し、鍋２を外蓋６により開閉自在に覆い、外蓋６に取り付けた蓋加熱部７を蓋加熱コイル８により加熱するとともに鍋２の側面を側面加熱コイル５により加熱し、蓋加熱コイル８と側面加熱コイル８に蓋胴インバータ回路より高周波電流を供給する。蓋加熱コイル８と側面加熱コイル５とは直列に接続され、かつ高周波電流を逆向きに流すように接続する。【選択図】図１
2006141518.tif 000002
【特許請求の範囲】
【請求項１】
炊飯器本体と、前記炊飯器本体の内部に収納され米と水を入れる鍋と、前記鍋を開閉自在に覆う蓋と、前記蓋を加熱する蓋加熱コイルと、前記鍋の側面を加熱する側面加熱コイルと、前記蓋加熱コイルと側面加熱コイルに高周波電流を供給するインバータ回路とを備え、前記蓋加熱コイルと側面加熱コイルとは直列に接続され、かつ高周波電流を逆向きに流すように接続した誘導加熱式炊飯器。
【請求項２】
炊飯器本体と、前記炊飯器本体の内部に収納され米と水を入れる鍋と、前記鍋を開閉自在に覆う蓋と、前記蓋を加熱する蓋加熱コイルと、前記鍋の側面を加熱する側面加熱コイルと、前記蓋加熱コイルと側面加熱コイルに高周波電流を供給するインバータ回路とを備え、前記蓋加熱コイルと側面加熱コイルとは並列に接続され、かつ高周波電流を逆向きに流すように接続した誘導加熱式炊飯器。
【発明の詳細な説明】
【技術分野】
【０００１】
本発明は、鍋と鍋を開閉自在に覆う蓋などを誘導加熱する２つ以上の加熱コイルを有する誘導加熱式炊飯器に関するものである。
【背景技術】
【０００２】
従来から炊飯器は、炊飯終了時や保温時に、鍋を開閉自在に覆う蓋や鍋の側面に水分が結露し、その露がご飯に滴下して白化やべちゃつきとならないように、蓋を加熱する蓋加熱手段と鍋の側面部を加熱する側面加熱手段を有している（例えば、特許文献１参照）。
【０００３】
この蓋加熱手段と側面加熱手段を、加熱コイルから発生する磁界により蓋や鍋の側面を誘導加熱する方式、すなわち、蓋を誘導加熱する蓋加熱コイルと、鍋の側面を誘導加熱する側面加熱コイルと、この蓋加熱コイルと側面加熱コイルに高周波電流を供給するインバータ回路を備えることは公知である（例えば、特許文献２参照）。
【０００４】
一方、このように誘導加熱により鍋や蓋を加熱する場合、蓋加熱コイルや側面加熱コイルから発生する漏洩磁界が人体には好ましくない影響があることを懸念する報告がされており、社会的にその関心が高まっている。
【０００５】
この漏洩磁界のなかでも低周波領域の漏洩磁界を効果的に低減する方法として、加熱コイルを渦巻状に巻かれた加熱用コイル部と、このコイルの外周側で直列に接続されかつこのコイルと逆向きに巻かれ、逆向きの電流を流す漏洩磁界キャンセル用コイル部とで構成することにより、外部へ漏洩する磁界を低減する方法が開示されている（例えば、特許文献３参照）。
【特許文献１】特公平８−１３２８９号公報
【特許文献２】特開平５−２６１０１９号公報
【特許文献３】特開平１０−３３５０５７号公報
【発明の開示】
【発明が解決しようとする課題】
【０００６】
しかしながら、上記従来の構成では、蓋を加熱する蓋加熱コイルと鍋側面を加熱する側面加熱コイルから発生する漏洩磁界を低減するために、蓋加熱コイルと逆向きに巻かれ、逆向きの電流を流す漏洩磁界キャンセル用コイルを備え、また側面加熱コイルと逆向きに巻かれ、逆向きの電流を流す漏洩磁界キャンセル用コイルを備える必要があった。
【０００７】
このとき、それぞれの加熱用コイル部と漏洩磁界キャンセル用コイル部との距離が近接しすぎると、それぞれのコイルから発生する磁界が逆向きになるため、本来、蓋や鍋の側面を加熱する磁界をお互いに打ち消しあってしまう。したがって、漏洩磁界キャンセル用コイル部は、蓋や鍋側面の加熱には寄与せず、逆に加熱効率を低下させるものとなる。
【０００８】
また、蓋や鍋側面を加熱する磁界を打ち消さないようにそれぞれの漏洩磁界キャンセル用コイルを配置するには、それぞれの加熱コイル部からある程度の距離を確保する必要があり、炊飯器の外形が大きくなるという問題を有していた。
【０００９】
本発明は上記従来の課題を解決するもので、炊飯器本体の外形を大きくすることなく、また、蓋と鍋側面の加熱効率を下げずに、安価で効果的に蓋加熱コイルと側面加熱コイルから発生する低周波領域の漏洩磁界を低減できる誘導加熱式炊飯器を提供することを目的としている。
【課題を解決するための手段】
【００１０】
本発明は上記目的を達成するために、炊飯器本体の内部に米と水を入れる鍋を収納し、鍋を蓋により開閉自在に覆い、蓋を蓋加熱コイルにより加熱するとともに鍋の側面を側面加熱コイルにより加熱し、蓋加熱コイルと側面加熱コイルにインバータ回路より高周波電流を供給するよう構成し、蓋加熱コイルと側面加熱コイルとは直列に接続され、かつ高周波電流を逆向きに流すように接続したものである。
【００１１】
これにより、蓋加熱コイルと側面加熱コイルからそれぞれ発生する低周波漏洩磁界が逆向きになっているため、お互いに低周波漏洩磁界を打ち消しあうようにでき、炊飯器本体の外形を大きくすることなく、また、蓋と鍋側面の加熱効率を下げずに、安価で効果的に蓋加熱コイルと側面加熱コイルから発生する低周波領域の漏洩磁界を低減することができる。
【発明の効果】
【００１２】
本発明の誘導加熱式炊飯器は、蓋加熱コイルと側面加熱コイルがそれぞれお互いの低周波漏洩磁界を打ち消しあうので、新たな漏洩磁界キャンセル用のコイルを必要とせず、外形を大きくすることなく、また、蓋と鍋側面の加熱効率を下げずに、低周波漏洩磁界を低減することができる。
【発明を実施するための最良の形態】
【００１３】
第１の発明は、炊飯器本体と、前記炊飯器本体の内部に収納され米と水を入れる鍋と、前記鍋を開閉自在に覆う蓋と、前記蓋を加熱する蓋加熱コイルと、前記鍋の側面を加熱する側面加熱コイルと、前記蓋加熱コイルと側面加熱コイルに高周波電流を供給するインバータ回路とを備え、前記蓋加熱コイルと側面加熱コイルとは直列に接続され、かつ高周波電流を逆向きに流すように接続したものであり、蓋加熱コイルと側面加熱コイルからそれぞれ発生する低周波漏洩磁界が逆向きになっているため、お互いに低周波漏洩磁界を打ち消しあうようになり、蓋加熱コイルと側面加熱コイルのそれぞれに漏洩磁界キャンセル用のコイルを必要とせず、外形を大きくすることなく、また、蓋と鍋側面の加熱効率を下げずに、低周波漏洩磁界を低減することができる。
【００１４】
第２の発明は、炊飯器本体と、前記炊飯器本体の内部に収納され米と水を入れる鍋と、前記鍋を開閉自在に覆う蓋と、前記蓋を加熱する蓋加熱コイルと、前記鍋の側面を加熱する側面加熱コイルと、前記蓋加熱コイルと側面加熱コイルに高周波電流を供給するインバータ回路とを備え、前記蓋加熱コイルと側面加熱コイルとは並列に接続され、かつ高周波電流を逆向きに流すように接続したものであり、蓋加熱コイルと側面加熱コイルからそれぞれ発生する低周波漏洩磁界が逆向きになっているため、お互いに低周波漏洩磁界を打ち消しあうようになり、蓋加熱コイルと側面加熱コイルのそれぞれに漏洩磁界キャンセル用のコイルを必要とせず、外形を大きくすることなく、また蓋と鍋側面の加熱効率を下げずに、低周波漏洩磁界を低減することができる。
【００１５】
以下、本発明の実施の形態について、図面を参照しながら説明する。なお、本実施例の形態によって本発明が限定されるものではない。
【００１６】
（実施の形態１）
図１は、本発明の実施の形態１における誘導加熱式炊飯器の断面図を示すものである。
【００１７】
図１に示すように、炊飯器本体１は、内部に米と水を入れる鍋２を着脱自在に収納可能な鍋収納部３を設け、この鍋収納部３の外側に鍋２の底面部に対向するように渦巻状に巻かれた底加熱コイル４を配置しており、底加熱コイル４から発生する磁界により鍋２の底部分を誘導加熱するようにしている。さらに、鍋２の側面部に対向するように円筒状に巻かれた側面加熱コイル５を備えており、側面加熱コイル５から発生する磁界により鍋２の側面部分を誘導加熱するようにしている。
【００１８】
炊飯器本体１の上面開口部には、鍋２を着脱可能なように開閉自在な外蓋６を備えている。この外蓋６の鍋２に面する側に着脱自在な蓋加熱部７を取り付けて外蓋６と蓋加熱部７とで蓋を構成しており、この蓋の内部に蓋加熱部７に対向するように渦巻状に巻かれた蓋加熱コイル８を備えており、蓋加熱コイル８の発生する磁界で蓋加熱部７を誘導加熱するようにしている。
【００１９】
また、炊飯器本体１の下方部に底加熱コイル４に高周波電流を供給する底インバータ回路９（図２参照）や、側面加熱コイル５と蓋加熱コイル８に高周波電流を供給する蓋胴インバータ回路１０（図２参照）を搭載する加熱基板１１を配置している。さらに、外蓋６の内部には、底インバータ回路９や蓋胴インバータ回路１０を制御する制御回路１１（図２参照）や炊飯器を操作する操作キー１２を搭載している制御基板１３を配置している。
【００２０】
図２は、本発明の実施の形態１における誘導加熱式炊飯器の一部ブロック化した要部回路図を示すものである。
【００２１】
図２に示すように、炊飯器本体１を商用電源１４に接続すると、加熱基板１１上に搭載された全波整流器１５を介して底インバータ回路９と蓋胴インバータ回路１０に直流電源が供給される。この底インバータ回路９には底加熱コイル４が接続され、底インバータ回路９は底加熱コイル４に高周波電流ＩＬ１を供給する。また、蓋胴インバータ回路（インバータ回路）１０には側面加熱コイル５と蓋加熱コイル８が直列に接続され、蓋胴インバータ回路１０は側面加熱コイル５と蓋加熱コイル８に高周波電流ＩＬ２を供給する。
【００２２】
ここで、底加熱コイル４と側面加熱コイル５と蓋加熱コイル８は、炊飯器本体１を上部から見たときに巻かれている方向を表示している。すなわち、底加熱コイル４は、高周波電流ＩＬ１が右回りに流れるように巻かれている。また、側面加熱コイル５には高周波電流ＩＬ２が右回りに流れるように巻かれており、蓋加熱コイル８には高周波電流ＩＬ２が左回りに流れるように巻かれている。
【００２３】
制御基板１２に搭載された制御回路１１は、加熱基板１１上の底インバータ回路９と蓋胴インバータ回路１０の通電状態や発振周波数を制御する。
【００２４】
上記構成において動作、作用を説明する。鍋２と蓋加熱部７を炊飯器本体１の所定の位置にセットし、操作キー１２を操作すると、制御回路１１は予め設定されている炊飯シーケンスに基づいて、鍋２の底部分と側面部分と蓋加熱部７を加熱するように底インバータ回路９と蓋胴インバータ回路１０の動作を制御する。
【００２５】
制御回路１１は鍋２の側面部分と蓋加熱部７を加熱制御する際、蓋胴インバータ回路１０に駆動信号を送り、蓋胴インバータ回路１０が高周波電流ＩＬ２を側面加熱コイル５と蓋加熱コイル８に供給する。
【００２６】
このとき、高周波電流ＩＬ２は側面加熱コイル５では炊飯器本体１の上部から見て右回りに流れ、蓋加熱コイル８では炊飯器本体１の上部から見て左回りに流れている。すなわち、側面加熱コイル５と蓋加熱コイル８は同一電流を逆向きに流れていることになり、側面加熱コイル５の発生する磁界と蓋加熱コイル８の発生する磁界は逆方向になるので、お互いに発生する磁界を打ち消しあって炊飯器本体１の外部に漏洩する漏洩磁界を低減することができる。
【００２７】
さらに、側面加熱コイル５は炊飯器本体１内に搭載され、一方、蓋加熱コイル８は外蓋６に収納されているため、これら側面加熱コイル５と蓋加熱コイル８との間は十分な距離が確保されているだけでなく、側面加熱コイル５は鍋２の側面を加熱し、蓋加熱コイル８は蓋加熱部７を加熱するため、お互いの発生する磁界が逆方向であっても、それぞれの加熱コイルが加熱する被加熱部が異なるため、それぞれを誘導加熱する高周波磁界まで打ち消すことはないので、鍋２の側面を誘導加熱する加熱効率と蓋加熱部７を誘導加熱する加熱効率を低下させることはない。
【００２８】
以上のように、本実施の形態においては、側面加熱コイル５と蓋加熱コイル８は直列に接続され、かつ高周波電流ＩＬ２を逆向きに流すように巻かれているので、それぞれお互いの低周波漏洩磁界を打ち消しあうことができ、新たな漏洩磁界キャンセル用コイルを必要としないので、炊飯器本体１の外形を大きくする必要もなく、側面加熱コイル５と蓋加熱コイル８は十分に距離が離れており、かつそれぞれ異なるものを加熱するので、蓋加熱部７と鍋２の側面の加熱効率を下げずに、蓋加熱コイル８と側面加熱コイル５から発生する低周波領域の漏洩磁界を低減することができる。
【００２９】
（実施の形態２）
図３は、本発明の実施の形態２における誘導加熱式炊飯器の一部ブロック化した要部回路図を示すものである。なお、誘導加熱式炊飯器の構成を示す断面図は上記実施の形態１と同じであるので説明を省略する。
【００３０】
図３に示すように、炊飯器本体１を商用電源１４に接続すると、全波整流器１５を介して底インバータ回路９と蓋胴インバータ回路１０に直流電源が供給される。この底インバータ回路９には底加熱コイル４が接続され、底インバータ回路９は底加熱コイル４に高周波電流ＩＬ１を供給する。また、蓋胴インバータ回路１０には側面加熱コイル５と蓋加熱コイル８が並列に接続され、蓋胴インバータ回路１０は高周波電流ＩＬ２を側面加熱コイル５と蓋加熱コイル８に供給する。
【００３１】
ここで、底加熱コイル４と側面加熱コイル５と蓋加熱コイル８は、炊飯器本体１を上部から見たときに巻かれている方向を表示している。すなわち、底加熱コイル４は、高周波電流ＩＬ１が右回りに流れるように巻かれている。また、側面加熱コイル５には高周波電流ＩＬ２の一部の電流ＩＬ３が右回りに流れるように巻かれており、蓋加熱コイル８には高周波電流ＩＬ２から側面加熱コイル５に流れる電流ＩＬ３を引いた電流ＩＬ４が左回りに流れるように巻かれている。
【００３２】
制御回路１１は、底インバータ回路９と蓋胴インバータ回路１０の通電状態や発振周波数を制御する。
【００３３】
上記構成において動作、作用を説明する。鍋２と蓋加熱部７を炊飯器本体１の所定の位置にセットし、操作キー１２を操作すると、制御回路１１は予め設定されている炊飯シーケンスに基づいて、鍋２の底部分と側面部分と蓋加熱部７を加熱するように底インバータ回路９と蓋胴インバータ回路１０の動作を制御する。
【００３４】
制御回路１１は鍋２の側面部分と蓋加熱部７を加熱制御する際、蓋胴インバータ回路１０に駆動信号を送り、蓋胴インバータ回路１０が高周波電流ＩＬ２を側面加熱コイル５と蓋加熱コイル８に供給する。
【００３５】
このとき、高周波電流ＩＬ２の内、電流ＩＬ３は側面加熱コイル５では炊飯器本体１の上部から見て右回りに流れ、高周波電流ＩＬ２から側面加熱コイル５に流れる電流ＩＬ３を引いた電流ＩＬ４は蓋加熱コイル８では炊飯器本体１の上部から見て左回りに流れている。
【００３６】
すなわち、側面加熱コイル５に流れる電流ＩＬ３と蓋加熱コイル８に流れる電流ＩＬ４は逆向きに流れていることになり、側面加熱コイル５の発生する磁界と蓋加熱コイル８の発生する磁界は逆方向になるので、お互いに発生する磁界を打ち消しあって炊飯器本体１の外部に漏洩する漏洩磁界を低減することができる。
【００３７】
さらに、側面加熱コイル５は炊飯器本体１内に搭載され、一方、蓋加熱コイル８は外蓋６に収納されているため、これら側面加熱コイル５と蓋加熱コイル８との間は十分な距離が確保されているだけでなく、側面加熱コイル５は鍋２の側面を加熱し、蓋加熱コイル８は蓋加熱部７を加熱するため、お互いの発生する磁界が逆方向であっても、それぞれの加熱コイルが加熱する被加熱部が異なるため、それぞれを誘導加熱する高周波磁界まで打ち消すことはないので、鍋２の側面を誘導加熱する加熱効率と蓋加熱部７を誘導加熱する加熱効率を低下させることはない。
【００３８】
以上のように、本実施の形態においては、側面加熱コイル５と蓋加熱コイル８は並列に接続され、かつ高周波電流ＩＬ３とＩＬ４が逆向きに流れるように巻かれているので、それぞれお互いの低周波漏洩磁界を打ち消しあうことができ、新たな漏洩磁界キャンセル用コイルを必要としないので、炊飯器本体の外形を大きくする必要もなく、側面加熱コイル５と蓋加熱コイル８は十分に距離が離れており、かつそれぞれ異なるものを加熱するので、蓋加熱部７と鍋２の側面の加熱効率を下げずに、蓋加熱コイル８と側面加熱コイル５から発生する低周波領域の漏洩磁界を低減することができる。
【産業上の利用可能性】
【００３９】
以上のように、本発明にかかる誘導加熱式炊飯器は、蓋加熱コイルと側面加熱コイルがそれぞれお互いの低周波漏洩磁界を打ち消しあうので、新たな漏洩磁界キャンセル用コイルを必要とせず、外形を大きくすることなく、また、蓋と鍋側面の加熱効率を下げずに、蓋加熱コイルと側面加熱コイルから発生する低周波領域の漏洩磁界を低減することができるので、鍋と鍋を開閉自在に覆う蓋などを誘導加熱する２つ以上の加熱コイルを有する誘導加熱式炊飯器として有用である。
【図面の簡単な説明】
【００４０】
【図１】本発明の実施の形態１における誘導加熱式炊飯器の断面図
【図２】同誘導加熱式炊飯器の一部ブロック化した要部回路図
【図３】本発明の実施の形態２における誘導加熱式炊飯器の一部ブロック化した要部回路図
【符号の説明】
【００４１】
１  炊飯器本体
２  鍋
５  側面加熱コイル
６  外蓋（蓋）
７  蓋加熱部（蓋）
８  蓋加熱コイル
１０  蓋胴インバータ回路（インバータ回路）
【図１】
2006141518.tif 000003
【図２】
2006141518.tif 000004
【図３】
2006141518.tif 000005